(57)【要約】【課題】異なる複数の静止画像でも安定した動画像として表示する。【解決手段】同一の表示手段に対して異なる複数の静止画像Ａ，Ｂ，Ｃを順次所定間隔で点滅表示するとき、この表示手段に供給される発光用の点滅表示パルスＰＬに同期して、この点滅表示パルスによる点滅表示（図７、時点ｔ３、ｔ６）の直後から、画像メモリに格納された静止画像Ａ，Ｂ，Ｃに対する読み出し処理を行う。同時に表示手段に対する静止画像Ａ，Ｂ，Ｃの画像データの書き込みを行う（図７Ｃ〜Ｆ）。このような読み出しと書き込みを行うと、異なる複数の静止画像Ａ，Ｂ，Ｃを切り替えて動画像として表示する場合であっても、表示パネルに上書きされる画像データは１フレーム前の同じ画像データであるので、不安定な画像表示を回避して、安定した動画像表示を実現できる。【選択図】        図７
2007065621.tif 000002
【特許請求の範囲】
【請求項１】
移動体の経路に沿って所定間隔で配列された複数の表示手段に供給される静止画像を点滅表示させることで、上記静止画像による連続的な映像を提供する映像表示装置において、
上記移動体の搭乗者が上記移動体から見ることができる部位に配列された表示パネルを有する複数の表示手段と、
上記移動体の走行速度を検出する速度検出手段と、
この速度検出手段から得られた上記移動体の走行速度に基づいて、上記表示手段に供給される点滅表示パルスが生成される制御部と、
上記表示手段ごとに設けられた表示パネルに静止画像を順次表示するため、異なる複数の静止画像データを記憶する画像メモリと、上記点滅表示パルスが供給される上記表示パネルに対する発光駆動部とを有する表示制御部とからなり、
この表示制御部では、上記複数の静止画像を１つづつ順次選択して上記表示パネルに静止画像データが書き込まれる書き込み制御がなされる
ことを特徴とする映像表示装置。
【請求項２】
上記画像メモリ選択部での上記静止画像データの選択と上記表示パネルへの書き込み処理は上記点滅表示パルスに同期して行われると共に、
上記点滅表示パルスに同期して、この点滅表示パルスによる点滅表示の直後から上記静止画像データの書き込みが行われる画像メモリ選択部が、上記表示制御部に設けられた
ことを特徴とする請求項１記載の映像表示装置。
【請求項３】
隣接する上記表示パネルには、異なる静止画像データが表示されて、異なる静止画像が表示される
ことを特徴とする請求項１記載の映像表示装置。
【請求項４】
上記表示パネルは、フルサイズの２次元平面表示パネルであって、液晶表示パネルが用いられる
ことを特徴とする請求項１記載の映像表示装置。
【請求項５】
上記表示パネルは、短冊状をなす平面表示パネルであって、フルサイズの静止画像が分割表示されると共に、
フルサイズの上記静止画像データのうち、上記表示パネルの表示サイズに合わせた静止画像データが順次供給されて、フルサイズの静止画像の一部が順次表示されることで、上記点滅表示パルスの表示期間内にフルサイズの静止画像が表示される
ことを特徴とする請求項１記載の映像表示装置。
【請求項６】
上記短冊状の平面表示パネルに使用される表示素子は、発光ダイオードである
ことを特徴とする請求項５記載の映像表示装置。
【請求項７】
移動体の経路に沿って所定間隔で配列された複数の表示手段に供給される静止画像を点滅表示させることで、上記静止画像による連続的な映像を提供する映像表示方法であって、
上記同一の表示手段に異なる複数の静止画像を供給して順次所定間隔で点滅表示する第１のステップと、
上記表示手段に供給される発光用の点滅表示パルスに同期して、上記表示手段に対する上記静止画像の画像データの書き込みを行う第２のステップと
からなることを特徴とする映像表示方法。
【請求項８】
上記第２のステップでは、上記表示手段を発光表示させるための点滅表示パルスに同期して、この点滅表示パルスによる点滅表示の直後から、上記表示手段に対する上記静止画像の書き込みが行われる
ことを特徴とする請求項５記載の映像表示方法。
【請求項９】
上記表示手段が、短冊状をなす平面表示パネルであるときは、この平面表示パネルにフルサイズの静止画像が分割表示されると共に、
フルサイズの上記静止画像データのうち、上記表示パネルの表示サイズに合わせた静止画像データが順次供給されて、複数サイズの静止画像の一部が順次表示されることで、上記点滅表示パルスの表示期間内にフルサイズの静止画像が表示される
ことを特徴とする請求項７記載の映像表示方法。
【請求項１０】
上記短冊状の平面表示パネルに使用される表示素子は、発光ダイオードである
ことを特徴とする請求項７記載の映像表示方法。
【発明の詳細な説明】
【技術分野】
【０００１】
この発明は、レール上を走行する電車などのように人を乗せて走行、移動する移動体の搭乗者が、連続動作映像（動画像）として見ることができる映像表示装置および映像表示方法に関する。
【０００２】
詳しくは、異なる複数の静止画像を用意し、これら複数の静止画像データを１つづつ順次選択して表示手段を構成する表示パネル（例えば平面表示パネル）に書き込むと共に、この表示パネルに供給される発光用の点滅表示パルスに同期して静止画像データの書き込みを行うことで、点滅表示パルスのタイミングと表示パネルへの静止画像データの書き込みタイミングとが非同期になっても、異なる複数の動画像を安定して同時に提供できるようにしたものである。
【背景技術】
【０００３】
従来、例えばトンネル内に進入した電車の線路沿いに、電車の窓から見えるように複数コマに分けた静止画を並べて点滅表示させることによって、トンネルの壁面に映し出された静止画像を動画像として見ることができる映像表示装置が提案されている（例えば、特許文献１参照）。
【０００４】
この場合、図１６に示すように、トンネル５内の壁面５ａに所定間隔で配置した複数の表示手段６によって映像表示装置１が構成される。各表示手段６において動画像を構成する各コマの静止画像を点滅表示すると、所定速度で移動する電車４内の搭乗者は、その車窓４ａからコマ送りの映像が動画像として視認でき、コマ送りの静止画像であってもテレビ画像と同様な動画像を提供することができる。
【０００５】
連続した静止画が動画として人間の目に視認されるためには、映画の場合にあっては１秒間に２４コマ、テレビションの場合にあってはＮＴＳＣ標準では１秒間に３０フレーム、ＰＡＬ標準にあっては１秒間に２５フレームが必要とされている。従って通常の動画映像を得るには最低２４コマ／秒を必要とする。
【０００６】
例えば、３０フレーム／秒の静止画を表示するための表示手段６（例えば液晶表示パネルのような平面表示パネル）の設置間隔は、電車４の走行速度によって異なる。例えば、時速４０ｋｍの場合、設置間隔は３７ｃｍとなり、また、時速６０ｋｍの場合、設置間隔は５３ｃｍとなる。
【０００７】
電車４の走行速度が変化しても搭乗者に対して安定した自然な動画像を提供できるように、電車４の走行速度に応じて表示手段６に対する点滅表示のタイミングが制御される。移動体の速度に応じて安定した画像表示を行うことができる移動体用表示装置および方法は既に知られている（例えば、特許文献２参照）。
【０００８】
搭乗者に提供される静止画像による動画像は、同一編成の電車４の全ての搭乗者に対しては全て同じである。例えば、毎秒３０フレームで構成される静止画像によって４秒間の動画像（例えば動画像Ａ）を提供する場合には、図１７に示すように電車４の進行方向に対して１２０個の表示手段６（６ａ、６ｂ、６ｃ、・・・６ｎ：ｎ＝１２０）が配列され、それぞれには、４秒完結の動画像となるように対応するフレーム＃ｉ（ｉ＝１〜１２０）の静止画像が間欠的に供給される。なお、図１７以下では表示手段６として液晶表示パネルを使用した場合であるので、表示手段６を「ＬＣＤ端末＃」として図示する。
【０００９】
【特許文献１】特開２０００−１７２２２０号公報（第３，４頁、第１図）
【特許文献２】特開平１１−２０２８１８号公報（第３，４頁、第１図）
【発明の開示】
【発明が解決しようとする課題】
【００１０】
搭乗者に提供できる動画像の種類（内容）は一種類に固定されたものではないので、画像内容は任意に変更できる。例えば、通過する時間によって提供する動画像が異なるように、電車の編成ごとに動画像を切り替えたり、時間帯によって動画像を切り替えられるように複数の画像ソース（映像ソース）を用意し、複数の画像ソースを適宜選択して供給すればよい。しかし、この場合はあくまで同一編成内の搭乗者は全て同じ動画像を見ることになる。
【００１１】
ここで、図１７に示すように搭乗者Ａを基準にした場合には同じ静止画像が表示されているように見えるが、実際には、搭乗者Ａが正対する正面の画像例えばフレーム＃４の静止画像Ａを基準にすると、その左側の表示手段（平面表示パネル）６ｃには１フレーム前の静止画像Ａ（フレーム＃３の静止画像Ａ）が表示され、その右側の表示手段６ｅには１フレーム先の（未来の）静止画像Ａ（フレーム＃５の静止画像Ａ）が表示されることになるので、前後するフレームの静止画像Ａが同時に見えていることになる。
【００１２】
そのため、搭乗者の視界内にある正面以外の隣接する表示手段６に別々の画像を表示できれば、複数のテレビ画像が視界に入るようなイメージで、搭乗者に複数の動画像を提供できる。逆に、搭乗者Ａに隣接する搭乗者に対しては、搭乗者Ａとは異なる動画像を提供できる。
【００１３】
異なる３つの静止画像を表示する例を図１８を用いて説明する。図１８はある表示タイミング（点滅表示タイミング）のときを例示したもので、搭乗者Ａが正対する表示手段６ｄにフレーム＃４に相当する静止画像Ｂを表示し、左隣りの表示手段６ｃにフレーム＃３に相当する静止画像Ｃを表示し、そして右隣りの表示手段６ｅにフレーム＃５に相当する静止画像Ａをそれぞれ表示できれば、搭乗者Ａは同時に異なる３つの静止画像を楽しむことができる。搭乗者Ａに隣接する搭乗者に注目すれば、搭乗者Ａとは異なる静止画像を楽しむことができる。
【００１４】
したがって、異なる３つの静止画像の場合、電車進入側からの静止画像の切り替え状態を示すと図１９のようになる。最初の点滅表示タイミング（発光タイミング）ｔ＝０では表示手段６ａに静止画像Ａ（フレーム＃１）が表示され、この静止画像Ａは搭乗者Ａが見ることができる（図１９Ａ）。
【００１５】
次の点滅表示タイミングｔ＝Δｔでは、図１９Ｂに示すように、２番目の表示手段６ｂに静止画像Ａ（フレーム＃２）が表示され、この静止画像Ａは搭乗者Ａが引き続き見ることができる。同時に、１番目の表示手段６ａには静止画像Ｂ（フレーム＃１）が表示され、例えば搭乗者Ａに隣接する搭乗者Ｂがこの静止画像Ｂを見ることができる。この静止画像Ｂは搭乗者Ａものぞき見することができる。
【００１６】
次の点滅表示タイミングｔ＝２Δｔでは、図１９Ｃに示すように、３番目の表示手段６ｃに静止画像Ａ（フレーム＃３）が表示され、この静止画像Ａは搭乗者Ａが引き続き見ることができる。同時に、２番目の表示手段６ｂには静止画像Ｂ（フレーム＃２）が表示される。搭乗者Ａに隣接する搭乗者Ｂはもちろんのこと、搭乗者Ａもこの静止画像Ｂを見ることができる。そして、１番目の表示手段６ａには静止画像Ｃ（フレーム＃１）が表示されるので、搭乗者Ｂに隣接する搭乗者Ｃはこの静止画像Ｃを見ることができる。搭乗者Ｂは前後する静止画像ＣおよびＡをそれぞれ見ることができる。
【００１７】
次の点滅表示タイミングｔ＝３Δｔでは、静止画像Ａ，Ｂ，Ｃの表示位置とフレームの番地が順次１個づつシフトして表示されると共に、最初の表示手段６ａには静止画像Ａ（フレーム＃１）が表示される。このように静止画像を切り替えながら順次表示することで、同一の電車内に搭乗する者に対して、異なる複数の動画像を同時に提供できる。ｔ＝４Δｔ以降も同様である（図１９Ｄ）。
【００１８】
ところで、上述したようにテレビ映像の場合には、毎秒３０フレームの静止画像が必要である。画像メモリから表示手段６への画像データの書き換えタイミングと、表示手段６の点滅表示タイミングとが、ある走行速度の下では、垂直同期信号ＶＰに同期しているのが理想的である。そして、例えば走行速度が６０ｋｍ／ｈのとき、書き替えタイミングと、点滅表示タイミングとが垂直同期信号ＶＰに同期するように設計することもできる。
【００１９】
しかし、電車４の走行速度は常に一定であるとは限らないので、このとき書き替えタイミングと点滅表示タイミングとが異なってしまう。したがってこれらのタイミングが同期せずに、ずれることになる。
【００２０】
同一の表示手段６には異なる複数の静止画像が順次切り替えられながら表示されるものであるから、書き替えタイミングに対して点滅表示タイミングが次第にずれてくると、既に点滅表示された１つ前の静止画像の画像データの上に、これから点滅表示しようとする新しい静止画像の画像データが上書きされている状態のとき、次の点滅表示タイミングが到来してしまう可能性がある。
【００２１】
これは、表示手段６の表示パネルとして液晶表示パネルやプラズマ表示パネルなどの平面表示パネルを使用する場合には、周知のように、それぞれの画素（ピクセル）に対して常に画像データを繰り返し書き換える処理（リフレッシュ処理）が必要になるためである。
【００２２】
このように異なる静止画像の画像データが同一の表示手段６に書き込まれているときに、点滅表示パルスを供給すると、不安定な静止画像が表示されてしまう。これは、書き替えた画像情報を映し出すためには、書き替えてから表示されるまでに少なくとも応答時間と呼ばれる反応時間が必要になるからである。上述したように同一の表示手段６の画像情報として２つの静止画像の画像データが混在する場合、最新に書き込まれた画像データは、書き込んでからの経過時間が反応時間に満たないので、不安定な画像表示となり、したがって安定した動画像表示は期待できない。
【００２３】
そこで、この発明は、表示手段（具体的には、表示パネル）への画像データの書き込みタイミングと、表示手段に対する点滅表示タイミングとがずれる場合でも、表示手段に対する点滅表示に同期して画像データを書き込むようにすることで、常に安定した動画像を表示できるようにした映像表示装置および映像表示方法を提供するものである。
【課題を解決するための手段】
【００２４】
請求項１に記載したこの発明に係る映像表示装置は、移動体の経路に沿って所定間隔で配列された複数の表示手段に供給される静止画像を点滅表示させることで、上記静止画像による連続的な映像を提供する映像表示装置において、
上記移動体の搭乗者が上記移動体から見ることができる部位に配列された表示パネルを有する複数の表示手段と、
上記移動体の走行速度を検出する速度検出手段と、
この速度検出手段から得られた上記移動体の走行速度に基づいて、上記表示手段に供給される発光用の点滅表示パルスが生成される制御部と、
上記表示手段ごとに設けられた表示パネルに静止画像を順次表示するため、異なる複数の静止画像データを記憶する画像メモリと、上記点滅表示パルスが供給される上記表示パネルに対する発光駆動部とを有する表示制御部とからなり、
この表示制御部では、上記複数の静止画像を１つづつ順次選択して上記表示パネルに静止画像データが書き込まれる書き込み制御がなされることを特徴とする。
【００２５】
また請求項７に記載したこの発明に係る映像表示方法は、移動体の経路に沿って所定間隔で配列された複数の表示手段に供給される静止画像データを点滅表示させることで、上記静止画像による連続的な映像を提供する映像表示方法であって、
上記同一の表示手段に対して異なる複数の静止画像を順次所定間隔で点滅表示する第１のステップと、
上記表示手段に供給される発光用の点滅表示パルスに同期して、上記表示手段に対する上記静止画像の画像データの書き込みを行う第２のステップとからなることを特徴とする。
【００２６】
この発明では、異なる複数の静止画像を点滅表示できるように、異なる複数の静止画像データを記憶したメモリ手段（画像メモリ）を有する。この画像メモリは表示手段（具体的には表示パネル）のそれぞれに対して設けられている。例えば最初から数えてｍ番目の表示手段が、第ｍ番目のフレームの静止画像を表示するものであるときは、画像メモリには、この第ｍ番目のフレームに相当する、複数の静止画像が蓄積されている。そして例えば、Ａ，Ｂ，Ｃの３つの静止画像を順次切り替えて表示する場合には、例えば静止画像Ｂ→静止画像Ｃ→静止画像Ａの順に読み出されて、順次点滅表示される。
【００２７】
（ｍ−１）番目の表示手段では、第（ｍ−１）番目のフレームの静止画像Ａ，Ｂ，Ｃの各画像データが対応する画像メモリに格納され、上述の例に倣うと、静止画像Ｃ→静止画像Ａ→静止画像Ｂの順に読み出され、その順序で点滅表示される。
【００２８】
同様に、（ｍ＋１）番目の表示手段では、第（ｍ＋１）番目のフレームの静止画像Ａ，Ｂ，Ｃの各画像データが対応する画像メモリに格納され、静止画像Ａ→静止画像Ｂ→静止画像Ｃの順に読み出され、その順序で点滅表示される。
【００２９】
説明の都合上、搭乗者が動かないものとして説明すると、ある点滅表示タイミングでは、搭乗者が正対する表示手段には静止画像Ｂが表示されているとき、左側の表示手段には静止画像Ｃが表示され、右側の表示手段には静止画像Ａが表示される。次の点滅表示タイミングになると、搭乗者が正対する表示手段には静止画像Ｃが表示され、左側の表示手段には静止画像Ａが表示され、そして右側の表示手段には静止画像Ｂが表示される。さらに次の点滅表示タイミングでは、搭乗者が正対する表示手段には静止画像Ａが表示され、左側の表示手段には静止画像Ｂが表示され、そして右側の表示手段には静止画像Ｃが表示される。したがって、同一の表示手段に注目すれば、点滅表示タイミングごとに静止画像は、Ａ→Ｂ→Ｃ→Ａ→Ｂ→・・・のように順次切り替えられて表示される。
【００３０】
表示手段への画像データの書き込みは、点滅表示タイミングに同期させる。特に、点滅表示直後から画像データの書き込みが行われる。これは、静止画像の表示が不安定になるのを防止すると共に、表示手段として液晶表示パネルのような平面表示パネル特有な反応時間を考慮した点滅表示を実現するためである。
【００３１】
発光パルスを点灯させた直後に、次に読み出すべき画像データの読み出しを行うと共に、順次液晶表示パネルにその画像データを書き込む。そして次の点滅表示が行われるまでは、同一の画像データを読み出しながら順次書き替える。このように次の点滅表示が行われるまでは、既に書き込んだ１フレーム前の画像データをさらに上書きしているだけであるから、１フレーム分の画像データの書き換えが終了する前に点滅表示タイミングが到来しても、書き替える前の画像データも、書き換えが終了した画像データも、共に同じフレームの画像データに他ならない。つまり、異なる画像データが同一の液晶表示パネルに書き込まれ、その状態で点滅表示されることはない。
【００３２】
また、点滅表示タイミングの直前に書き込まれた画像データは、その１フレーム前に書き込んだ画像データと同じであるから、次の画像表示までに要求される反応時間は充分確保された状態となっている。
【００３３】
換言すれば、この発明では、同一の表示手段に対して異なる複数の静止画像を順次所定間隔で点滅表示すると共に、この表示手段に供給される発光用の点滅表示パルスに同期して、この点滅表示パルスによる点滅表示の直後から、表示手段に対する静止画像の画像データの書き込みを行うようにしたものである。このような点滅表示制御を行うことで、何れも不安定な画像表示を回避して、安定した動画像表示を実現できる。
【００３４】
この発明では、移動体の搭乗者が移動体から見ることができる部位に配列された複数の表示手段を有する。表示手段（ディスプレー装置）は液晶表示パネルなどの平面表示パネルと、その発光装置などで構成される。平面表示パネルは、フルサイズの静止画像を表示できる２次元の平面表示パネルの他に、短冊状の平面表示パネルでもよい。
【００３５】
短冊状の表示パネルを使用する場合は、フルサイズの静止画像が分割表示されると共に、フルサイズの上記静止画像データのうち、表示パネルの表示サイズに合わせた静止画像データが順次供給されて、複数サイズの静止画像の一部が順次表示されることで、１点滅表示パルスの表示期間内にフルサイズの静止画像が表示される。
【００３６】
例えば、表示パネルが水平方向にｍ画素、垂直方向にｎ画素で１画面が構成されるとき、（１／ｍ，ｎ）画素数の短冊状平面表示パネルを使用する場合は、１画面分の静止画像データの全てが１点滅表示パルスの表示期間内に、１／ｍ分づつ順次分割表示される。
【００３７】
このような短冊状の平面表示パネルは発光ダイオード（ＬＥＤ）が使用される。このように自発光の表示素子を使用することで、非常に安価な平面表示パネルを使用することができる。
【００３８】
移動体の走行速度を検出する速度検出手段を有し、この速度検出手段から得られた移動体の走行速度に基づいて、表示手段に供給される発光用の点滅表示パルス（発光パルス）が生成される制御部を有する。この制御部で走行速度に見合った点滅表示周期の点滅表示パルスが得られる。
【００３９】
表示手段に対する表示制御部を有する。この表示制御部は、上述したように異なる複数の静止画像が記憶されたメモリ手段である画像メモリの他に、点滅表示パルスが供給される発光駆動部と、複数の静止画像用画像データに対する画像メモリ選択部とで構成される。
【００４０】
発光駆動部は液晶表示パネルに付随する発光装置を駆動するためのものである。画像メモリ選択部では、点滅表示パルスに同期させた状態で複数の静止画像を１つづつ順次選択して表示パネルにその画像データを書き込むような書き込み制御が行われる。画像メモリ選択部では、さらにこの点滅表示パルスに同期して、この点滅表示パルスによる点滅表示の直後から表示手段に対する画像データの書き込みが行われるような書き込み制御が行われる。表示パネルとして発光ダイオードを使用する場合にはこの発光駆動部を省くことができる。
【発明の効果】
【００４１】
この発明は、同一の表示手段に対して異なる複数の静止画像を順次所定間隔で点滅表示すると共に、この表示手段に供給される発光用の点滅表示パルスに同期して、この点滅表示パルスによる点滅表示の直後から、表示手段に対する静止画像の画像データの書き込みを行うようにしたものである。
【００４２】
これによれば、静止画像の画像データを読み出すタイミングと、表示手段に対する点滅表示タイミングとが非同期になったとしても、不安定な画像表示を回避できる。そのため、異なる複数の静止画像を用いて動画像表示する場合でも、安定した動画像表示を実現できる。
【発明を実施するための最良の形態】
【００４３】
以下、図面を参照しながら、この発明の実施の形態の映像表示装置および映像表示方法について説明する。
【００４４】
この発明においても、従来例で説明したと同様に移動体例えば電車が走行する走行方向（進行方向）に沿って、その搭乗者が対峙するトンネル内の壁面に、所定の間隔を保持して配列された複数の表示手段（ディスプレー装置）と、これら複数の表示手段に所望の静止画像用の画像データを供給するための制御系とで映像表示装置が構成される。
【実施例１】
【００４５】
図１はこの発明に係る映像表示装置１００の概略構成を示す。映像表示装置１００は、表示手段であるディスプレー装置１１と、制御手段としての制御部１２と、速度検出手段としての速度検出部１３とから構成されている。
【００４６】
ディスプレー装置１１としては、１画面分を同時に表示できるフルサイズの２次元表示パネル例えば液晶表示パネルなどの平面表示パネルを使用することができる。
【００４７】
図１ではそのうち液晶表示パネル（ＬＣＤ（Liquid Crystal Display）端末装置）を例示する。複数の液晶ディスプレー装置１１（１１ａ，１１ｂ，１１ｃ，・・・１１ｎ）が、従来と同じく所定間隔を保持して電車４の走行路に沿って配置される。
【００４８】
液晶ディスプレー装置１１は、図２に示すように表示パネル２０、発光装置３０および表示制御部４０とから構成される。表示パネル２０としては反射型のものでも、透過型のものでもよい。この例では、２０インチ程度の表示画面を有する透過式ＬＣＤの表示パネルである。したがって、発光装置３０はいわゆるバックライトとして機能するもので、フラッシュライト（ストロボライト）や白色ＬＥＤなどが使用される。発光装置３０を瞬間的に点灯させることで、表示パネル２０に供給された（書き込まれた）画像情報を静止画像として表示できる。コマ送りの静止画像によって動画像を再現するために発光装置３０が点滅制御（ストロボ制御）される。
【００４９】
なお、発光装置３０にフラッシュライトを用いた場合、発光駆動部５０としてのフラッシュライト駆動回路（後述する）は所定のデューティ比で表される点滅制御用の点滅表示パルスＰＬに応答して動作する。
【００５０】
表示パネル２０および発光装置３０は表示制御部４０に基づいて制御される。表示制御部４０には、異なる複数の静止画像の画像データを蓄積するため、メモリ手段としての画像メモリ４２を有する。この例では異なる３つの静止画像Ａ，Ｂ，Ｃを動画像として表示する例であるので、第１〜第３の画像データ用メモリ４２Ａ〜４２Ｃが用意されている。  選択できる静止画像の数は上例に拘泥されるものではなく、原理的には液晶表示パネルの設置台数分の静止画像（毎秒３０フレーム構成とした場合）まで、その動画像を切り替え表示することが可能である。画像メモリ４２としては容量の大きな不揮発性の半導体メモリや、ハードディスク装置などが好適である。この例では半導体メモリが使用されている。
【００５１】
画像メモリ４２への静止画像の画像データを蓄積したりするため通信制御部４４が設けられる。通信制御部４４は隣接する液晶ディスプレー装置１１や制御部１２と通信を行い、システム全体の同期をとるために設けられている。後述する制御部１２からの情報の授受も行われる。
【００５２】
制御部１２側から転送される画像データのうち、対応するフレーム番号（＃ｉ）の画像データ（Ａｉ，Ｂｉ，Ｃｉ）がこの通信制御部４４を介して画像メモリ４２に蓄積される。通信制御部４４を設けることで、画像データの更新や変更が可能である。時間帯などによって画像データをチェンジできた方が好ましいからである。
【００５３】
通信制御部４４によって受信された諸情報のうち、各種タイミング信号がＬＣＤ駆動部４６に供給される。ここに、タイミング信号とは画像データを読み出したり、書き込んだりするためのクロック信号ＣＫや、水平駆動信号ＨＳ（Ｈ）、垂直駆動信号ＶＰ（Ｖ）などの同期信号を総称する。
【００５４】
ＬＣＤ駆動部４６より出力されたタイミング信号は、表示パネル２０を駆動するための信号として供給される。通信制御部４４では制御部１２から転送された点滅表示パルスＰＬを受信する。受信した点滅表示パルスＰＬは発光駆動部５０を経由して発光装置３０に供給され、発光装置３０は点滅表示パルスＰＬの受信タイミングで点滅制御される。
【００５５】
ＬＣＤ駆動部４６より出力されたタイミング信号は画像メモリ選択部４８にも供給される。画像メモリ選択部４８は、画像メモリ４２に対する制御回路であって、ここにはさらに通信制御部４４で分離された点滅表示パルスＰＬと、メモリセレクト信号ＭＳａがそれぞれ供給される。
【００５６】
画像メモリ選択部４８では、画像メモリ４２のうちどの画像データ用のメモリをアクセスするかを決定するための制御が行われる。画像メモリ４２に対して、メモリセレクト信号ＭＳ（図ではＭＳａ）と、アドレスバスを指定することで、第１〜第３の画像データ用メモリ４２Ａ〜４２Ｃの何れかが順次指定されて、指定されたメモリに蓄積されている画像データがクロック信号ＣＫに同期してフレーム単位で読み出される。
【００５７】
最初にどの画像データ用メモリがセレクトされるかは、配列された液晶表示パネルの順番と、表示する静止画像の個数（実施例は３つ）とによって予め定められるもので、この例では第１の画像データ用メモリ４２Ａが選択されるようなメモリセレクト信号ＭＳａが制御部１２から送信された場合を示す。
【００５８】
もちろん、制御部１２で生成されたメモリセレクト信号ＭＳａを利用するのではなく、制御部１２からの例えばトリガー信号を用いて画像メモリ選択部４８自体でメモリセレクト信号ＭＳａを生成するようにしてもよい。
【００５９】
画像メモリ４２からの画像データの読み出しは、点滅表示パルスＰＬに同期して行われる。この例では、点滅表示の直後（ストロボ発光した直後）から画像データの読み出しがスタートする。点滅表示パルスＰＬが垂直同期信号ＶＰと同期しなくなった場合でも、不安定な動画像表示とならないようにするためである。その詳細は後述する。
【００６０】
点滅表示パルスＰＬの到来によって、次に読み出すべき画像データ用メモリに切り替わる。つまり点滅表示パルスＰＬが到来するまでの間は、同じ画像データ用メモリをアクセスしてその画像データの読み出しが連続して行われる。
【００６１】
なお、画像メモリ４２に記憶される同一静止画像に対するフレーム数は、電車４の走行速度によって異なる。速度が遅い場合は、１つの液晶ディスプレー装置１１で表示するフレーム数が多くなるため、画像メモリ４２に記憶しなければならないフレーム数も多くしなければならないからである。
【００６２】
図３は制御部１２の一例を示す。制御部１２は、静止画像の供給源として機能する他に、速度検出部１３により検出された電車４の速度を検出し、この走行速度に対応した周期をもった点滅表示パルスＰＬなどを生成するために設けられている。
【００６３】
速度検出部１３は電車４の進入を検出する検出センサ１３ａと、電車４の走行速度を検出する速度検出センサ１３ｂとを備える。検出センサ１３ａは、電車４が所定区間、例えば映像表示装置１００（具体的には液晶ディスプレー装置１１ａ）が設置されている区間に進入してから、電車４の一編成分が完全に通過するまでの間だけオンとなる。検出センサ１３ａの検出信号と速度検出センサ１３ｂにより検出された電車４の速度に関する信号は、制御部１２に入力される。
【００６４】
制御部１２は通常パーソナルコンピュータで構成することができる。図３は、パーソナルコンピュータを使用したときの制御部１２の構成例である。この制御部１２は、周知のように中央処理装置（ＣＰＵ）６０の他に、静止画像のデータを格納する格納手段として機能するＲＡＭ６２、制御プログラムが格納されたメモリであるＲＯＭ６４、バッファメモリ６６、外部入力装置であるこの例ではマウス６８、制御情報を入力するキーボード７０などから構成されている。
【００６５】
ＣＰＵ６０は、ＲＯＭ６４に格納された制御プログラムにしたがって、ＲＡＭ６２をワークエリアとして使用しながら映像表示装置１００の全体の動作を制御する。ＣＰＵ６０はさらに速度検出センサ１３ｂによって検出された電車４の走行速度に基づいて、点滅表示パルスＰＬの周期が算出され、その周期に対応した点滅表示パネルＰＬを生成する機能を有する。
【００６６】
ＣＰＵ６０は画像入力装置７６からの静止画像を選択してＲＡＭ６２に格納する機能を有し、格納された中から実際に提供すべき３つの静止画像Ａ，Ｂ，Ｃを選択して各表示手段として機能する液晶ディスプレー装置１１に配信する。予め配信すべき静止画像を配信プログラムとして複数用意しておくこともでき、その場合には配信プログラムを表示部７４に表示することで、必要な静止画像が選択される。
【００６７】
検出センサ１３ａは電車進入側に設置された最初の液晶ディスプレー装置１１ａに最も近い位置に設置されているので、この検出センサ１３ａによって電車４の進入を検出できる。電車４の通過を検知したときの検出センサ１３ａからの信号は、ＣＰＵ６０に供給される。
【００６８】
さて、この発明では異なる複数の静止画像を同一の液晶ディスプレー装置１１に順次切り替えて点滅表示するに当たり、液晶表示パネル２０に供給される発光用の点滅表示パルスＰＬに同期して、この点滅表示パルスＰＬによる点滅表示の直後から、液晶表示パネル２０に対する静止画像の画像データの書き込みを、点滅表示タイミングごとに順次行う。これによって、点滅表示パルスＰＬに同期して、トグル式に異なる３つの静止画像を順次切り替え表示することができる。一編成分の電車４が完全に通過するまでの間、この切り替え表示処理が繰り返される。
【００６９】
表示順は任意に設定できるので例えば、図４に示すように静止画像がＡ→Ｂ→Ｃ→Ａ→・・・のような順序で、点滅表示パルスＰＬ（後述する）に同期させながら順次切り替え表示されるものとする。説明の都合上、図５に示すように、３番目から５番目の液晶表示パネル２０ｃ〜２０ｅを用いて説明する。
【００７０】
３番目の液晶表示パネル２０ｃが、第３番目のフレーム（第３フレーム）の静止画像を表示するものであるときは、第１の画像メモリ４２Ａには、この第３フレーム（フレーム＃３）に相当する第１の静止画像（画像データ）Ａ３が蓄積され、第２の画像メモリ４２Ｂには第３フレームに相当する第２の静止画像Ｂ３が蓄積され、第３の画像メモリ４２Ｃには第３フレームに相当する第３の静止画像Ｃ３が蓄積されている。
【００７１】
したがって４番目の液晶表示パネル２０ｄにあっては、その第１の画像メモリ４２Ａには、第４フレーム（フレーム＃４）に相当する第１の静止画像Ａ４が蓄積され、第２の画像メモリ４２Ｂには第４フレームに相当する第２の静止画像Ｂ４が蓄積され、第３の画像メモリ４２Ｃには第４フレームに相当する第３の静止画像Ｃ４が蓄積されている。
【００７２】
同様に、５番目の液晶表示パネル２０ｅに設けられた第１の画像メモリ４２Ａには、この第５フレーム（フレーム＃５）に相当する第１の静止画像Ａ５が蓄積され、第２の画像メモリ４２Ｂには第５フレームに相当する第２の静止画像Ｂ５が蓄積され、第３の画像メモリ４２Ｃには第５フレームに相当する第３の静止画像Ｃ５が蓄積されている。
【００７３】
そして、液晶表示パネル２０ｅで静止画像Ａ（Ａ５）が点滅表示されるときは、隣接する１フレーム前の液晶表示パネル２０ｄでは静止画像Ｂ（Ｂ４）が点滅表示され、２フレーム前の液晶表示パネル２０ｃでは静止画像Ｃ（Ｃ３）が点滅表示されている。その結果、搭乗者Ａは同時に異なる３つの動画像を見ることができる。換言するならば、電車４が進入して映像表示装置１００を通過するまでに、搭乗者Ａは正対する表示手段によってそれぞれ異なる３つの動画像を見ることができる。
【００７４】
画像メモリ４２からの画像データの読み出し、および読み出した画像データに対する液晶表示パネル２０への書き込みは、何れも点滅表示タイミングに同期させる。特に、点滅表示直後から画像データの読み出しと書き込みが行われる。
【００７５】
これは、画像データの読み出しおよび書き込みタイミングと点滅表示タイミングとがずれることによって発生する動画像表示の不安定性を解消するためである。また、表示手段として液晶表示パネルのような平面表示パネルを使用したとき、この平面表示パネル特有な反応時間を考慮した点滅表示を実現するためである。図６以下を参照して説明する。
【００７６】
図６は点滅表示パルスＰＬと同期信号との関係を示す。毎秒３０フレームの静止画像によって動画像を構成する場合、まず画像メモリ４２に対する読み出しは周知のように６０Ｈｚの垂直同期信号（パルス）ＶＰに同期して行われる（図６Ａ）。
【００７７】
電車４の走行速度が６０ｋｍ／ｈの場合で、点滅表示パルスＰＬの繰り返し周波数を３０Ｈｚに設定した場合（図６Ｂ）、画像データの読み出しおよび書き込みタイミングと、点滅表示タイミングとは完全に同期する。その結果、複数の動画像を切り替え表示してもその表示が不安定になることはない。
【００７８】
走行速度がこの規定速度から外れると、画像データの読み出しおよび書き込みタイミングに対して点滅表示タイミングがずれてくる。例えば走行速度が規定速度より１０％速いときは、点滅表示パルスＰＬの方が垂直同期信号ＶＰよりも速くなって同期関係がずれる（図６Ａ，Ｃ）。このずれによって、画像データの書き換えが完全に終了しない間に点滅表示タイミングが到来してしまうことがあり、それによって不安定な動画像表示となってしまう。毎秒２４フレームによって動画像を構成する場合には、点滅表示パルスＰＬの繰り返し周波数は２４Ｈｚとなるので、この場合には当初から非同期モードで点滅制御されていることになる（図６Ｄ）。
【００７９】
そこで、この発明では画像データの読み出しおよび書き込みを点滅表示パルスＰＬに同期させる。つまり点滅表示パルスＰＬによってストロボ発光させた直後に、次に読み出すべき画像データの読み出しを行うと共に、順次液晶表示パネル２０にその画像データを書き込む。そして次の点滅表示が行われるまでは、同一の画像データを読み出しながら順次書き替える。
【００８０】
図７を参照して説明する。図７は毎秒３０フレーム構成の動画像の場合で、点滅表示タイミングで画像メモリ４２に対する読み出しが切り替えられる。電車４の走行速度は、規定速度に対し１０％アップの６６ｋｍ／ｈとする。
【００８１】
図７Ａはフィールド単位で画像データを表示したもので、奇数フィールドで読み出される画像データＡａ（Ｂａ、Ｃａ、・・・）と、偶数フィールドで読み出される画像データＡｂ（Ｂｂ、Ｃｂ、・・・）とは同じ画像データＡ（Ｂ、Ｃ、・・・）である。したがってこれらの各画像データを１フレームの画像データとして説明する。
【００８２】
図７Ａ，Ｂのように、当初（時点ｔ１）、画像データＡａは垂直同期信号ＶＰに同期して読み出される。この読み出しに同期して液晶表示パネル２０ａに対する書き込みが行われる（図７Ａ，Ｃ）。１フレーム分の画像データＡａの書き込みが終了すると、次の垂直同期信号ＶＰに同期して画像データＡｂ（＝Ａａ）の読み出しが行われ、そして液晶表示パネル２０ａへの書き込み（この場合上書き）が行われる（図７Ａ，Ｃ）。液晶表示パネル２０ａへの画像データの書き込みは、周知のように連続して常に行われていなければならないので、１垂直周期を単位として連続してその書き込み処理が行われる。
【００８３】
一方、上述の例によれば、電車４の走行速度に基づいて生成された点滅表示パルスＰＬの周期は３３Ｈｚとなるので（図７Ｄ）、２垂直周期目よりも僅かに速く点滅表示タイミングが到来する。つまり、２垂直周期目である時点ｔ４よりも前の時点ｔ３のタイミングが点滅表示タイミングとなる（図７Ｅ）。
【００８４】
時点ｔ３では直前に読み出した画像データＡｂは１フレーム分の全てが液晶表示パネル２０ａに書き込まれず、僅かに残る。この残余の部分は、上書きされなかった画像データとなるが、この未上書き部分の画像データはＡａのままである。
【００８５】
したがって、ストロボ発光するときの１フレーム分の画像データの構成は、図７Ｅのように（Ａａ＋Ａｂ）となるが、画像データＡａもＡｂも同一の画像データＡの一部であることから、ストロボ発光時の画像としては全く違和感がない。
【００８６】
時点ｔ３で点滅表示がなされると、それとほぼ同時に（実際にはストロボ発光が終了したタイミングに）、次の画像データの読み出しと書き込みがスタートする（図７Ｆ）。画像データＢａの読み出しは、１垂直周期の時間をかけて行われ、またこの１垂直周期の時間をかけて液晶表示パネル２０ａに書き込まれる（図７Ｆ）。次の１垂直周期が画像データＢｂによる画像データＢａに対する上書き処理となる。したがって、２度目の点滅表示からは点滅表示パルスＰＬに同期させた垂直同期パルスＶＰ'（図７Ｇ）に同期して画像データの読み出しおよび書き込みが行われることになる。
【００８７】
２度目の点滅表示は時点ｔ６であり、この時点ｔ６は２垂直周期目が終了する時点ｔ７よりも前になる。その結果、１度目の点滅表示の場合と同様に、直前に読み出した画像データＢｂは１フレーム分全て液晶表示パネル２０ａに書き込まれることなく僅かに残る。この残余の部分は、上書きされなかった画像データＢａとなる。
【００８８】
したがって、２度目の点滅表示の場合においても、ストロボ発光するときの１フレーム分の画像データの構成は、混在画像データ（Ｂａ＋Ｂｂ）となるが（図７Ｆ）、画像データＢａもＢｂも同一の画像データＢの前半部であり、また後半部の一部である。したがって同じ画像データＢで構成された画像に対してストロボ発光させたことになる。
【００８９】
このように次の点滅表示が行われるまでは、既に書き込んだ１フレーム前の画像データをさらに上書きしているだけであるから、１フレーム分の画像データの書き換えが終了する前に点滅表示タイミングが到来しても、書き替える前の画像データも、書き換えが終了した画像データも、共に同じフレームの画像データに他ならない。つまり、異なる画像データが同一の液晶表示パネルに書き込まれ、その状態で点滅表示されることにはならないので、安定した動画像表示となる。
【００９０】
このような画像データの読み出しおよび書き込み制御を実現するため、図２に示す画像メモリ選択部４８には点滅表示パルスＰＬと共にメモリセレクト信号ＭＳａが供給され、メモリセレクト信号ＭＳａによって最初に選択すべき画像データ用メモリ４２Ａ〜４２Ｃが指定されると共に、その後はトグル式に、点滅表示パルスＰＬに同期して順次指定される。また、画像データ用メモリ４２Ａ〜４２Ｃに対する読み出しが、点滅表示パルスＰＬに同期するように、アドレスバスの指定が行われる。このような制御を行うことによって、上述した画像データの読み出しおよび書き込み処理を実現できる。
【００９１】
また、上述したように液晶表示パネルのような平面表示パネルの場合には、画像データの書き込みが終了してからその装置特有の反応時間（応答時間）Ｔｘを待ってからでないと、書き込まれた画像を表示できない。反応時間Ｔｘはメーカや製品によって多少のばらつきがあるが、通常１６ｍsec程度である。
【００９２】
ここで、点滅表示の周期は図６からも明らかなように３３ｍsecであるから、
３３ｍsec＞Ｖ＋Ｔｘ＝１６．７ｍsec＋１６ｍsec
となり、図７の例では点滅表示時点ｔ３よりも前の時点ｔ２で、次に点滅表示すべき画像データが確定する。２垂直周期目の期間内に書き込まれた画像データＡｂは、その１フレーム前に書き込んだ画像データＡａと同じであるから、次の画像表示までに要求される反応時間Ｔｘは充分確保された状態となっているので、特に問題はない。
【００９３】
このようにすれば、異なる複数の静止画像を点滅表示タイミングごとに切り替え表示する場合でも、複数の動画像を安定して表示できる。
【００９４】
毎秒２４フレームで動画像を構成する場合でも、同じように動画像の不安定性を惹起することになるから、この場合においても点滅表示パルスに同期して画像データの読み出しと液晶表示パネルへの書き込み処理が実行される。
【００９５】
毎秒２４コマの場合には、点滅表示パルスＰＬの１周期は４２ｍＳとなるので、図６に示すように３垂直周期〜４垂直周期の間での点滅制御となる。
【００９６】
図８はその点滅表示例を示すもので、その詳細説明は割愛するが、４垂直周期目となる時点ｔ４よりも前の時点ｔ３が点滅表示タイミングとなる（図８Ｃ、Ｄ）。このタイミングは１フレーム前に書き込まれた画像データＡｂの一部に４垂直周期目の画像データＡｃを上書きしている途中である。したがって点滅表示される画像データは、（Ａｃ＋Ａｂ）の混成データであるが（図８Ｅ）、Ａａ＝Ａｂ＝Ａｃ＝Ａであるので、静止画像Ａのみによる動画像が表示される。したがって、不揃いな動画像とはならない。また、液晶表示パネル２０の反応時間Ｔｘも充分クリアしていることは容易に理解できる。次の点滅表示タイミングにおいても同じである。
【００９７】
したがって、毎秒２４コマによって動画像を表示する場合でも、画像データの読み出しおよび書き込みタイミングを点滅表示タイミングに同期させることによって、異なる複数の動画像であってもこれを安定して表示できる特徴を有する。
【実施例２】
【００９８】
図９は、トンネル５内に設置される液晶表示パネル２０を間断なく配置した、いわゆるシームレス構造とした映像表示装置１００の例である。
【００９９】
この場合、１つの液晶表示パネルに１フレームの静止画を表示する場合には図１０のようになる。例えば、液晶表示パネル２０の横幅（サイズ）を４７ｃｍとした場合、１秒間３０枚の画像を見せるために、１つの液晶表示パネルに１フレームの静止画像を表示するための走行速度（規定速度）は、５０ｋｍ／ｈとなる。
【０１００】
したがって、各液晶表示パネル２０と異なる３つの静止画像Ａ，Ｂ，Ｃとの関係は図１０のようになる。このようなシームレス構成でも、実施例１と同様な制御を行うことで、異なる複数の静止画像を点滅表示タイミングごとに切り替え表示する場合でも、複数の動画像を安定して表示できる。
【実施例３】
【０１０１】
図１１は、ネットワークを介して静止画像用の画像データを配信する配信システムの構成例を示す。
【０１０２】
図１１に示すように、画像データはまず配信センター（外部配信装置）８０からネットワーク９０を介してクラスタマスタ９５ａ，９５ｂ，・・・９５ｎに供給され、そして、クラスタマスタ９５ａ，９５ｂ，・・・９５ｎから映像表示装置１００ａ，１００ｂ，・・・１００ｎに供給される。映像表示装置１００ａ，１００ｂ，・・・１００ｎ内にはユニットマスタ１１０ａ、１１０ｂ、・・・１１０ｎが設けられ、このユニットマスタ１１０ａ、１１０ｂ、・・・１１０ｎを介してそれぞれの表示手段である液晶ディスプレー装置１１に供給される。したがってこの場合のユニットマスタ１１０ａ、１１０ｂ、・・・１１０ｎは図２に示す制御部１２に相当する。
【０１０３】
このように配信システムを構築すると、単一のトンネルのみの管理ではなく、同一路線の複数のトンネルに映像表示装置１００を設置する場合はもちろんのこと、同一系列の鉄道運送会社内に設置された映像表示装置１００を一括管理できるメリットがある。
【０１０４】
上述実施の形態においては、制御部１２にはＣＰＵ６０を用いたが、これに限定されるものではない。例えば制御回路を構成するハードウエアを用いてもよい。この場合、高速な処理を実現することが可能である。
【０１０５】
また、上述実施の形態においては、電車進入方向を基準にしたとき、最先に進入する液晶表示パネル２０側に速度検出部１３を設けたものについて説明したが、最後尾となる液晶表示パネル２０側にも速度検出部１３を設けるようにしてもよい。この場合、設置された液晶表示パネル２０の両方から電車（移動体）４が進入しても、同時に対応できる。
【実施例４】
【０１０６】
実施例１〜実施例３では、表示手段６に設けられた表示パネル２０としては、ＬＣＤのような平面表示パネル、特にフルサイズの平面表示パネルが使用されている場合を示した。この発明では平面表示パネルとして、フルサイズ以外のサイズで構成された短冊状の平面表示パネルであっても適用できる。
【０１０７】
例えば、図１２に示すように水平方向がｍ画素、垂直方向がｎ画素で構成されるフルサイズの平面表示パネル２００にあって、これを水平方向にｍ分割して図１３のように水平方向には１画素分で、垂直方向にはフル画素数のｎ画素分で構成された短冊状の表示パネル１２０を、この発明における映像表示装置の表示パネルとして使用することができる。
【０１０８】
このような短冊状の表示パネル１２０としては、ＬＣＤではなく、発光ダイオードなどの発光表示素子（ＬＥＤ）が好適である。発光ダイオードを使用することで、短冊状の表示パネルを簡単に製造できるし、コストも大幅に削減できる。さらには短冊状であれば設置も簡単になるからである。発光ダイオードを用いてカラー表示パネルを構成する場合には、例えば図１３に示すようにＲ，Ｇ，Ｂの各原色を発光する発光ダイオード１２２Ｒ，１２２Ｇ，１２２Ｂがインライン状に３個配列されて１ピクセルを構成できる。
【０１０９】
このような短冊状の表示パネル１２０を使用する場合、図４に示した１点滅表示パルスＰＬの表示期間内に、図１２に示すようにｍ画素分の縦ラインの静止画像データＳ１，Ｓ２，Ｓ３，・・・Ｓｍの全ての画像データを順次読み出して表示することで、１画素分の短冊状表示パネル１２０であっても、１画面分の静止画像（フルサイズ）を映し出すことができる。そして、これを１垂直走査期間ごとに点滅表示させることで、動画像として映し出すことができる。上述の水平画素数ｍは、通常３２０個か６４０個であり、垂直画素数ｎは、２４０個程度である。
【０１１０】
図１４は、（ｍ＝１，ｎ）画素で構成された１縦ライン用の表示パネル１２０を使用した映像表示装置のＬＥＤディスプレー装置３００における表示制御部１５０の一例を示す。この表示制御部１５０の基本構成は、図２に示す表示制御部４０の構成を踏襲しているので、重複部分には同一符号を付し、その説明は割愛する。
【０１１１】
表示パネル１２０としてＬＥＤのような自発光素子を使用する場合には、ＬＣＤの場合のようにバックライトのような発光装置が不要になると共に、ＬＣＤのような反応時間を考慮した画像データの書き込み処理も不要になる。したがって、図１４に示すように、ＬＥＤ駆動部１３０が設けられ、このＬＥＤ駆動部１３０で生成された駆動パルスが点滅表示パルスＰＬ'（図１５Ｂ，Ｃ参照）として表示パネル１２０に供給される。
【０１１２】
さらに、メモリ手段４２と画像メモリ選択部４８との間には、縦ライン選択部１４０が設けられ、ｍ分割された静止画像データが、１縦ライン分づつ順次選択される。この選択のタイミングは上述した点滅表示パルスＰＬ'に同期させる。これによって画像メモリ選択部４８によって選択された特定のメモリから、１縦ライン分の静止画像データＳｉが読み出されて表示パネル１２０の対応するピクセルＰｉ（ｉ＝１〜２４０）に供給される。そして、点滅表示パルスＰＬ'の供給によって１縦ライン分の全てのピクセルＰｉが同時に点灯表示される。
【０１１３】
この表示処理が１点滅表示パルスＰＬ'の表示期間内に連続して行われ、トータルｍ回順次水平方向にシフトさせながら繰り返すことで、１縦ライン分の静止画像データが順次読み出されて、表示パネル１２０に供給される。１点滅表示パルスＰＬ'の表示期間内にｍ回連続してこの分割画像表示を行うことで、１画面分の静止画像を表示することができる。
【０１１４】
図１２に示すように、１画面（フルサイズ）が横３２０（＝ｍ）画素、縦２４０（＝ｎ）画素で構成される表示パネルの場合で、１点滅表示パルスＰＬ'の表示期間内に全ての縦ラインの分割画像Ｓ１，Ｓ２，・・・Ｓｍを表示するためには、点滅表示パルスＰＬ'のパルス幅は、ほぼ１００ｎsecに選定される（図１５Ｃ参照）。
【０１１５】
このように短冊状の表示パネル１２０を使用しても、１点滅表示パルスＰＬ'の表示期間内に、ｍ分割された静止画像（短冊画像）を全て表示できれば、視聴者にとってはフルサイズ（１画面）の静止画像を表示したのと同視の画像を見ることができる。つまり、フルサイズの２次元平面表示パネルを使用して１枚の静止画像を表示するのと同じ表示状態を実現できる。
【０１１６】
短冊状の表示パネル１２０であるので表示パネルの単価が非常に安価であること、したがって使用枚数の制限を受けにくくなること、設置場所が制限されないこと、設置工数が安いこと、表示パネル１２０に対する周辺の駆動回路系の簡略化できることなど、短冊状表示パネルならではのメリットを挙げることができる。
【０１１７】
短冊状の表示パネル１２０にあって、その水平方向の画素数は、ｍ＝１に限らない。例えば、ｍ＝１０〜５０程度まで可能である。この程度までの画素数であれば、製造も容易であるし、制御も容易である。例えば、フルサイズの水平画素数が３２０画素（＝ｍ）で構成されるとき、ｍ＝１０とした場合には、水平走査方向に１０画素配列された短冊状のに２次元表示パネルとなるが、この場合には１画面を水平走査方向に３２分割して、順次切り替え表示すればよいので、表示制御部１５０の構成も簡単になる。
【産業上の利用可能性】
【０１１８】
この発明に係る映像表示装置および映像表示方法は、地下鉄、遊園地等場所で広告媒体として利用できる。
【図面の簡単な説明】
【０１１９】
【図１】本発明をトンネル内で使用する場合の実施の形態の概略を示す説明図である。
【図２】映像表示装置に設けられた表示制御部と液晶表示パネルとの関係を示す要部の系統図である。
【図３】映像表示装置に設けられた制御部の一例を示す要部の系統図である。
【図４】異なる複数の静止画像を表示するための説明図である。
【図５】その説明図である。
【図６】垂直同期信号と点滅表示パルスとの関係を示すタイミングチャートである。
【図７】毎秒３０フレームとしたときの点滅表示処理例を示す説明図である。
【図８】毎秒２４フレームとしたときの点滅表示処理例を示す説明図である。
【図９】シームレス構成としたときの映像表示装置の他の例を示す図である。
【図１０】その表示処理例を示す図である。
【図１１】ネットワークを介した画像配信システムの構成例を示す図である。
【図１２】この発明の他の実施例を説明するための画素構成図である。
【図１３】この発明の他の実施例に使用される短冊状の表示パネルの概念図である。
【図１４】図１３の短冊状の表示パネルを使用したときの表示制御部の構成例を示す要部のブロック図である。
【図１５】そのときに使用される駆動パルスとの関係を示す波形図である。
【図１６】従来の映像表示装置の一例を示す構成図である。
【図１７】単一の動画像表示例を示す図である。
【図１８】異なる複数の動画像表示例を示す図である（その１）。
【図１９】異なる複数の動画像表示例を示す図である（その２）。
【符号の説明】
【０１２０】
１００（１００ａ〜１００ｎ）・・・映像表示装置、４・・・電車（移動体）、５，５ａ・・・トンネル及び壁面、１１・・・表示手段（液晶表示パネル）、１１ａ〜１１ｎ・・・液晶表示パネル、１２・・・制御部、１３・・・速度検出部、６０・・・ＣＰＵ、２０・・・表示パネル、３０・・・発光装置、４０，１５０・・・表示制御部、４２・・・画像メモリ、４２Ａ〜４２Ｃ・・・画像データ用メモリ、４４・・・通信制御部、４６・・・ＬＣＤ駆動部、４８・・・画像メモリ選択部、５０・・・発光駆動部、配信センター（外部配信装置）、８０・・・ネットワーク、９５ａ〜９５ｎ・・・クラスタマスタ、１２０・・・短冊状の表示パネル、１３０・・・ＬＥＤ駆動部、１４０・・・縦ライン選択部
【図１】
2007065621.tif 000003
【図２】
2007065621.tif 000004
【図３】
2007065621.tif 000005
【図４】
2007065621.tif 000006
【図５】
2007065621.tif 000007
【図６】
2007065621.tif 000008
【図７】
2007065621.tif 000009
【図８】
2007065621.tif 000010
【図９】
2007065621.tif 000011
【図１０】
2007065621.tif 000012
【図１１】
2007065621.tif 000013
【図１２】
2007065621.tif 000014
【図１３】
2007065621.tif 000015
【図１４】
2007065621.tif 000016
【図１５】
2007065621.tif 000017
【図１６】
2007065621.tif 000018
【図１７】
2007065621.tif 000019
【図１８】
2007065621.tif 000020
【図１９】
2007065621.tif 000021